(57)【要約】【課題】簡単な構成により、太陽光および太陽熱の双方を効率良く利用可能な太陽光・太陽熱利用システムを提案すること。【解決手段】太陽光・太陽熱利用システム１は、第１集光光学系２を介して太陽光を集める第１集光部Ａと、集めた太陽光を熱交換用の光透過性の熱媒３に照射して透過させることにより太陽熱を当該熱媒に集める集熱部Ｂと、熱媒３内を透過する太陽光を第２集光光学系４を介して再度集める第２集光部Ｃと、再度集めた太陽光を予め定めた導光路５を介して照明場所６まで導く導光部Ｄと、照明場所６まで導かれた太陽光を拡散光学系７を介して均一な照度の照明用拡散光に変換し、当該照明用拡散光で照明場所６を照明する照明部Ｅとを有している。【選択図】図１
2013029209.tif 000002
【特許請求の範囲】
【請求項１】
第１集光光学系を介して太陽光を集める第１集光工程と、
集めた太陽光を熱交換用の光透過性の熱媒に照射して透過させることにより太陽熱を当該熱媒に集める集熱工程と、
前記熱媒内を透過する太陽光を第２集光光学系を介して再度集める第２集光工程と、
再度集めた太陽光を、予め定めた導光路を介して、照明場所まで導く導光工程と、
前記照明場所まで導かれた太陽光を拡散光学系を介して均一な照度の照明用拡散光に変換し、当該照明用拡散光で前記照明場所を照明する照明工程とを有していることを特徴とする太陽光・太陽熱利用方法。
【請求項２】
請求項１に記載の太陽光・太陽熱利用方法を実施するために用いる太陽光・太陽熱利用システムであって、
太陽光を集めるための第１集光光学系と、
前記第１集光光学系を介して集められた太陽光の光束が照射する位置に光透過性の熱媒を貯留しているタンクを備えた熱交換器と、
前記熱媒内を透過する光束の経路上に配置した第２集光光学系と、
前記第２集光光学系を介して集められた光束を予め定めた経路に沿ってガイドする導光部材と、
前記導光部材を通過した後の光束を拡散光学系を介して均一な照度の照明用拡散光に変換して照明場所を照明する照明部とを有していることを特徴とする太陽光・太陽熱利用システム。
【請求項３】
請求項２において、
前記第１集光光学系および前記第２集光光学系は、それぞれ、少なくとも１枚の凸レンズから構成されており、
前記拡散光学系は、少なくとも１枚の凹レンズと光拡散部材とを備えていることを特徴とする太陽光・太陽熱利用システム。
【請求項４】
請求項２または３において、
前記導光部材は、鏡筒あるいは光ファイバーケーブルであることを特徴とする太陽光・太陽熱利用システム。
【請求項５】
請求項２ないし４のうちのいずれかの項において、
前記導光部材における光進行方向の下流側の部分は複数の分岐部分となっており、
各分岐部分の先に前記照明部がそれぞれ配置されていることを特徴とする太陽光・太陽熱利用システム。
【請求項６】
請求項４または５において、
前記導光部材は、光束を所定の角度で折り曲げるための連結用鏡筒部および光束を複数に分岐して異なる方向に導く分岐用鏡筒部を備えていることを特徴とする太陽光・太陽熱利用システム。
【請求項７】
請求項２ないし６のうちのいずれかの項において、
前記熱交換器は、前記熱媒に浸漬した状態で引き回されている熱交換用のパイプを備え、当該パイプを通して前記熱媒との間で熱交換を行う二次側熱媒あるいは加熱対象の水を流すようになっていることを特徴とする太陽光・太陽熱利用システム。
【請求項８】
請求項２ないし６のうちのいずれかの項に記載の太陽光・太陽熱利用システムを複数段備えた太陽光・太陽熱利用装置であって、
各段の太陽光・太陽熱利用システムには、前段側の太陽光・太陽熱利用システムから前記熱媒が供給され、最終段の太陽光・太陽熱利用システムからは第１段の太陽光・太陽熱利用システムに前記熱媒が還流し、
各段の太陽光・太陽熱利用システムにおいて得られる太陽熱を用いて前記熱媒を加熱し、最終段の太陽光・太陽熱利用システムからは、前記熱媒を、発電用のタービンを回すために必要な圧力を備えた高圧蒸気の形態で発生させ、
前記タービンを回すために使用した後の前記高圧蒸気は、熱交換による放熱によって、液相の前記熱媒に戻った後に第１段の太陽光・太陽熱利用システムに還流することを特徴とする太陽光・太陽熱利用装置。
【請求項９】
請求項８において、
前記タービンおよび発電機を備えた発電システムと、
前記高圧蒸気の熱交換による放熱を給湯用の熱源として用いる給湯装置とを有していることを特徴とする太陽光・太陽熱利用装置。
【発明の詳細な説明】
【技術分野】
【０００１】
本発明は太陽光・太陽熱を簡単なシステム構成により効率良く利用できる太陽光・太陽熱利用方法およびシステム、並びに太陽光・太陽熱利用装置に関する。
【背景技術】
【０００２】
太陽光・太陽熱を利用して照明および蓄熱を行う装置としては特許文献１に記載されたものがある。ここに記載の集光装置、蓄熱装置では、反射鏡で集めた太陽光を凹面鏡で二次反射させて光伝送手段に導き、光伝送手段を介して照明手段あるいは蓄熱手段に導くようになっている。また、太陽光・太陽熱の双方を同時に利用可能な装置としては特許文献２に記載されたものがある。ここに記載されている太陽光の集光熱利用装置では、凹面鏡を備えた球状レンズで集めた太陽光を光ケーブルおよび中継手段を介して熱交換器に導き、熱交換器を経由した後の太陽光を、散光板を介して照明光として利用している。
【先行技術文献】
【特許文献】
【０００３】
【特許文献１】特開平７−２７４２５号公報
【特許文献２】特開平６−１５９８１３号公報
【発明の概要】
【発明が解決しようとする課題】
【０００４】
特許文献１、２に記載されている装置では、太陽光を集めた後に光ケーブルなどの光伝送手段を介して照明部分あるいは熱交換部分に導くように構成されている。光伝送手段などを経由して太陽光がガイドされる間に光伝送手段が太陽熱で過熱状態に陥り破損するなどの弊害が発生しやすい。また、光伝送手段によって伝送される間に太陽熱が放散してしまうので、太陽熱の利用効率が極めて悪い。例えば、このような太陽熱利用システムを給湯用の熱源とした場合には、６０℃前後の温水を得ることが限界であり、１００℃の温水を得ることができない。
【０００５】
本発明の課題は、このような点に鑑みて、簡単なシステム構成により、太陽光および太陽熱をそれぞれ照明光源および熱源として効率良く利用可能な太陽光・太陽熱利用方法およびシステムを提案することにある。
【０００６】
また、本発明の課題は、簡単なシステム構成により、太陽光を照明光源として効率良く利用し、太陽熱を高圧蒸気発生用の熱源およびその他の熱源として効率良く利用することのできる太陽光・太陽熱利用装置を提案することにある。
【課題を解決するための手段】
【０００７】
上記の課題を解決するために、本発明の太陽光・太陽熱利用方法は、
第１集光光学系を介して太陽光を集める第１集光工程と、
集めた太陽光を熱交換用の光透過性の熱媒に照射して透過させることにより太陽熱を当該熱媒に集める集熱工程と、
前記熱媒内を透過する太陽光を第２集光光学系を介して再度集める第２集光工程と、
再度集めた太陽光を、予め定めた導光路を介して、照明場所まで導く導光工程と、
前記照明場所まで導かれた太陽光を拡散光学系を介して均一な照度の照明用拡散光に変換し、当該照明用拡散光で前記照明場所を照明する照明工程とを有していることを特徴としている。
【０００８】
また、本発明の太陽光・太陽熱利用方法を実施するために用いる太陽光・太陽熱利用システムは、
太陽光を集めるための第１集光光学系と、
前記第１集光光学系を介して集められた太陽光の光束が照射する位置に光透過性の熱媒を貯留しているタンクを備えた熱交換器と、
前記熱媒内を透過する光束の経路上に配置した第２集光光学系と、
前記第２集光光学系を介して集められた光束を予め定めた経路に沿ってガイドする導光部材と、
前記導光部材を通過した後の光束を拡散光学系を介して均一な照度の照明用拡散光に変換して照明場所を照明する照明部とを有していることを特徴としている。
【０００９】
ここで、前記第１集光光学系および前記第２集光光学系は、それぞれ、少なくとも１枚の凸レンズを用いて構成することができる。前記拡散光学系は、少なくとも１枚の凹レンズと光拡散部材とを用いて構成することができる。凹レンズによって必要な照明領域を照明可能な広がりのある照明光を得ることができ、これを光拡散部材に通すことにより、照明光として用いるのに適した照度ムラ、輝度ムラの無い均一な照明用拡散光を得ることができる。
【００１０】
また、前記熱交換器としては、前記熱媒に浸漬した状態で引き回されている熱交換用のパイプを備え、当該パイプを通して前記熱媒との間で熱交換を行う二次側熱媒あるいは加熱対象の水を流す構成のものを用いることができる。
【００１１】
さらに、前記導光部材としては、鏡筒あるいは光ファイバーケーブルを用いることができる。
【００１２】
ここで、照明場所が複数ある場合には、前記導光部材における光進行方向の下流側の部分を複数に分岐し、各分岐部分の先にそれぞれ前記照明部を配置しておけばよい。
【００１３】
次に、離れた場所において、それぞれ複数の照明箇所を照明する必要がある場合などにおいては、上記構成の太陽光・太陽熱利用システムを各場所に配置すればよい。
【００１４】
一方、本発明は、上記構成の太陽光・太陽熱利用システムを複数段備えた太陽光・太陽熱利用装置であって、
各段の太陽光・太陽熱利用システムには、前段側の太陽光・太陽熱利用システムから前記熱媒が供給され、最終段の太陽光・太陽熱利用システムからは第１段の太陽光・太陽熱利用システムに前記熱媒が還流し、
各段の太陽光・太陽熱利用システムにおいて得られる太陽熱を用いて前記熱媒を加熱し、最終段の太陽光・太陽熱利用システムは、前記熱媒を、発電用のタービンを回すために必要な圧力を備えた高圧蒸気の形態で発生させ、
前記タービンを回すために使用した後の前記高圧蒸気は、熱交換による放熱によって、液相の前記熱媒に戻った後に第１段の太陽光・太陽熱利用システムに還流することを特徴としている。
【００１５】
太陽光・太陽熱利用システムを多段に配置し、各段において太陽熱を利用して熱媒を加熱し、加熱後の熱媒を順次に次段に供給すると、最終段において得られる加熱後の熱媒を発電用のタービンを回すことのできる高圧蒸気にすることができる。これにより、太陽熱を利用して発電を行うことができ、高圧蒸気の熱交換による放熱を給湯用の熱源として利用することができ、放熱後に液相に戻った高温の熱媒を高圧蒸気発生用の熱源として再利用することができる。
【発明の効果】
【００１６】
本発明の太陽光・太陽熱利用システムでは、第１集光光学系を介して集めた太陽光を熱媒に直接照射して当該熱媒を加熱するようにしている。熱媒は光透過性のものであるので、熱媒に照射された太陽光は熱媒内を通過する間においても熱媒との間で熱交換を行う。よって、集めた太陽光と熱媒との間で効率良く熱交換が行われる。
【００１７】
熱媒を透過する間に拡散あるいは散乱した太陽光は第２集光光学系によって再度集められて光ファイバーなどからなる導光部に入射されるので、熱媒を透過する太陽光の拡散損失を抑制できる。よって、照明光として利用する太陽光の利用効率の低下を抑制できる。また、熱交換部を介して太陽熱を回収した後に太陽光が導光部を介して伝送されるので、太陽光によって導光部が過熱状態に陥って破損してしまうこともない。さらに、導光部材から照明部に導かれた太陽光は凹レンズ、光拡散部材からなる拡散光学系を介して、照明光として用いるのに適した照度ムラ、輝度ムラの無い均一な照明用拡散光となって照明場所が照明される。
【００１８】
さらに、本発明の太陽光・太陽熱利用装置では、太陽光・太陽熱利用システムを多段に配置し、各段の太陽光・太陽熱利用システムを介して熱媒を循環させて太陽熱によって加熱して、発電用のタービンを回すことのできる高圧蒸気を生成している。また、高圧蒸気を熱交換によって放熱させた後に再び熱媒として用いるようにすると共に、放熱を給湯用の熱源として利用している。よって、太陽熱を効率良く利用して発電および給湯を行うことができる。
【００１９】
このように、本発明によれば、簡単なシステム構成により、太陽光および太陽熱をそれぞれ照明光源および、給湯用熱源、発電用熱源などの熱源として効率良く利用することができる。
【図面の簡単な説明】
【００２０】
【図１】本発明を適用した太陽光・太陽熱利用システムの実施の形態を示すシステム構成図である。
【図２】図１の太陽光・太陽熱利用システムを利用した太陽光・太陽熱利用装置の一例を示す概略構成図である。
【発明を実施するための形態】
【００２１】
以下に、図面を参照して本発明を適用した太陽光・太陽熱利用システムおよび太陽光・太陽熱利用装置の実施の形態を説明する。
【００２２】
（太陽光・太陽熱利用システム）
まず、図１を参照して太陽光・太陽熱利用システムの実施の形態を説明する。太陽光・太陽熱利用システム１は、例えば、住宅などの建物に設置され、日中における室内照明光源および給湯用熱源として用いられる。太陽光・太陽熱利用システム１は、建物の屋上あるいは屋根などに設置され、集光用の第１集光光学系２を介して太陽光を集める第１集光工程が行われる第１集光部Ａを備えている。また、集めた太陽光を熱交換用の光透過性の熱媒３に照射して透過させることにより太陽熱を当該熱媒３に集める集熱工程が行われる集熱部Ｂを備えている。さらに、熱媒３を透過する太陽光を第２集光光学系４を介して再度集める第２集光工程が行われる第２集光部Ｃを備えている。これに加えて、再度集めた太陽光を、予め定めた導光路５を介して、照明を必要とする室内などの照明場所６まで導く導光工程が行われる導光部Ｄと、照明場所６まで導かれた太陽光を拡散光学系７を介して照明場所６を照明するのに適した照度ムラ、輝度ムラの無い照明用拡散光に変換し、当該照明用拡散光で照明場所６を照明する照明工程が行われる照明部Ｅとを備えている。
【００２３】
各部の構成を説明すると、第１集光部Ａの第１集光光学系２は例えば大径の凸レンズ１１からなる。勿論、複数枚のレンズを組み合わせた集光光学系を用いることも可能であり、反射鏡を用いた集光光学系を用いることも可能である。
【００２４】
集熱部Ｂには、熱媒３によって熱交換が行われる熱交換器１２が備わっている。熱交換器１２は、例えば水、透明度の高い油などの液相状態の熱媒３が貯留されている熱媒タンク１３を備えている。固相の熱媒を用いることも勿論可能である。熱媒タンク１３の直上に第１集光部Ａが配置されており、当該第１集光部Ａで集められた太陽光の光束が熱媒タンク１３の光透過性の蓋１３ａを透過して熱媒３を照射する。熱媒３を照射した光束は、光透過性の熱媒３内を拡散しながら透過する。この結果、太陽熱によって熱媒３が加熱される（換言すると、太陽熱が熱媒３に集められる）。
【００２５】
熱媒タンク１３内には熱媒３に浸漬した状態で引き回されている熱交換用の温水循環パイプ１４が配置されている。温水循環パイプ１４を介して、温水タンク１５に貯留されている温水が不図示の循環ポンプによって循環する。温水循環パイプ１４を循環する温水は熱媒３との熱交換によって加熱される。不図示の制御部によって温水の循環が制御され、温水タンク１５内の温水の温度が所定温度以上に保持される。この温水タンク１５に取り付けた給湯配管１６を介して温水が必要場所に供給される。なお、加熱対象の温水の代わりに熱交換用の二次側熱媒を循環させ、当該二次側熱媒によって加熱対象の温水などを加熱するようにしてもよいことは勿論である。
【００２６】
次に、第２集光部Ｃの第２集光光学系４は１枚の凸レンズ１７から形成されている。複数枚のレンズを用いることもできる。凸レンズ１７は熱媒タンク１３の底部において、第１集光光学系２と同軸状態に配置されている。光透過性の熱媒３を拡散しながら透過する光束は、この凸レンズ１７によって再び集められて、導光部Ｄの導光路５に導かれる。
【００２７】
導光部Ｄの導光路５は例えば、内周面が金属蒸着薄膜などからなる光反射面となっている円筒状断面の鏡筒１８によって規定されている。鏡筒１８は、凸レンズ１７が入射端に同軸状に配置されている直線状の鏡筒部１９を備えており、この鏡筒部１９の射出端には直角に折り曲げられているエルボー状の連結用鏡筒部２０が連結されている。連結用鏡筒部２０の内周面には光束の進路を直角に折り曲げるための反射面が形成されており、この射出端には直線状の鏡筒部２１が連結され、この鏡筒部２１の射出端には光束分岐用の分岐用鏡筒部２２が連結されている。分岐用鏡筒部２２の内部には光束を２方向に分岐させるための反射面が形成されており、２つの射出側分岐端には、直線状の分岐鏡筒部２３と直線状の鏡筒部２４がそれぞれ連結されている。鏡筒部２４の射出端には直角に折り曲げられているエルボー状の連結用鏡筒部２５が連結され、この連結用鏡筒部２５には直線状の分岐鏡筒部２６が連結されている。このように、本例の導光路５は射出側が２つの分岐部分に分かれている。勿論、３つ以上に分岐させて複数の照明場所に光束を分岐して導くこともできる。また、鏡筒の代わりに光ファイバーケーブルを用いることができ、光束の分岐をハーフミラーを用いて行うこともできる。
【００２８】
なお、エルボー状の連結用鏡筒部２０、２５として、光束を直角に折り曲げるだけでなく、希望の角度に折り曲げることのできる連結用鏡筒部を用いることができる。例えば、鋭角に光束を折り曲げ可能な連結用鏡筒部を用いることができる。また、分岐用鏡筒部２２として、光束を複数に分岐して直角以外の異なる角度の方向に導くものを用いることができる。
【００２９】
次に、照明部Ｅの拡散光学系７は、２本の分岐鏡筒部２３、２６の射出端に同軸状態に配置されている。拡散光学系７は、１枚の凹レンズ２７と、この凹レンズ２７の射出側のレンズ面を覆っている光透過性の乱反射カバー（光拡散部材）２８とを備えている。分岐鏡筒部２３、２６から射出される分岐光束は各凹レンズ２７によって一定の広がりのある拡散光とされた後に乱反射カバー２８を透過して、照度ムラ、輝度ムラの無い均一な照明用拡散光となって照明場所６の各部分を照明する。
【００３０】
このように構成した太陽光・太陽熱利用システム１では、第１集光光学系２を介して集めた太陽光を熱媒３に直接照射して当該熱媒３を加熱している。熱媒３は光透過性のものであるので、熱媒３に照射された太陽光は熱媒３内を透過する間においても熱媒３との間で熱交換が行われる。よって、集めた太陽光と熱媒３との間で効率良く熱交換が行われる。この結果、本例のシステムを給湯用の熱源として用いた場合には１００℃前後の温水を得ることが可能である。
【００３１】
熱媒３を透過する間に拡散あるいは散乱した太陽光は第２集光光学系４によって再度集められて導光路５に入射されるので、熱媒３を透過する太陽光の拡散損失を抑制できる。よって、照明光として利用する太陽光の利用効率の低下を最小限に抑制できる。ここで、熱交換後の太陽光が導光路５を介して照明場所６に導かれるので、太陽熱によって導光路５を構成している部材が過熱状態に陥って破損などが発生するおそれもない。
【００３２】
導光路５を介して照明場所６に導かれた太陽光は凹レンズ２７、乱反射カバー２８（光拡散部材）からなる拡散光学系７を介して、照明光として用いるのに適した照度ムラ、輝度ムラの無い均一な照明用拡散光となって照明場所６が照明される。
【００３３】
（太陽光・太陽熱利用装置）
図２を参照して、本発明を適用した太陽光・太陽熱利用装置の実施の形態を説明する。太陽光・太陽熱利用装置１００は、基本的に図１に示す太陽光・太陽熱利用システム１と同様な構成の太陽光・太陽熱利用システムが複数段備わっている。本例では第１段、第２段および第３段の太陽光・太陽熱利用システム１Ａ、１Ｂ、１Ｃが備わっている。２段とすることもでき、４段以上の構成とすることも可能である。
【００３４】
各段の太陽光・太陽熱利用システム１Ａ、１Ｂ、１Ｃの構成については後述するが、第１段の太陽光・太陽熱利用システム１Ａの熱媒タンク１３Ａで加熱された液相の熱媒３は低圧蒸気３Ａとなって、第２段の太陽光・太陽熱利用システム１Ｂの熱媒タンク１３Ｂに供給され、ここにおいて太陽熱で加熱される。第２段の熱媒タンク１３Ｂで加熱されて高圧蒸気３Ｂとなった熱媒は、第３段（最終段）の太陽光・太陽熱利用システム１Ｃの熱媒タンク１３Ｃに供給され、ここにおいて太陽熱で更に加熱される。この結果、熱媒は、発電システム１３０のタービン１３１を回すことのできる高圧蒸気３Ｃとなって当該発電システム１３０に供給される。
【００３５】
発電システム１３０ではタービン１３１を回すことで発電機１３２が回転駆動して発電を行い、発生した電力が電力供給先に向けて供給される。また、タービン１３１を回した後の高圧蒸気は、媒体還流管１４０の途中位置に配置されている熱交換装置１５０において給湯用の温水との間で熱交換が行なわれる。高圧蒸気は熱交換による放熱によって液相の高温状態の熱媒（液体）に戻り、再び、第１段の太陽光・太陽熱利用システム１Ａの熱媒タンク１３Ａに戻され、熱媒の熱が再利用される。給湯用の温水は加熱されて温水タンク１６０に戻る。温水タンク１６０内に貯留されている温水は熱媒との間の熱交換によって所定温度以上の温度に維持される。
【００３６】
各段の太陽光・太陽熱利用システム１Ａ、１Ｂ、１Ｃは、図１に示す太陽光・太陽熱利用システム１と基本的に同一構成であるので、図２においては図１における各部位と対応する部位には同一の符号を付してある。太陽光・太陽熱利用システム１Ａ、１Ｂ、１Ｃは、集光用の第１集光光学系２を介して太陽光を集める第１集光部Ａを備えている。また、集めた太陽光を熱交換用の光透過性の熱媒３に照射して透過させることにより太陽熱を当該熱媒３に集める集熱部Ｂを備えている。さらに、熱媒３を透過する太陽光を第２集光光学系を介して再度集める第２集光部Ｃと、再度集めた太陽光を、予め定めた導光路を介して、照明を必要とする室内などの不図示の照明場所まで導く導光部Ｄとを備えている。また、図示を省略してあるが、照明場所まで導かれた太陽光を拡散光学系を介して照明場所を照明するのに適した照度ムラ、輝度ムラの無い照明用拡散光に変換し、当該照明用拡散光で照明場所を照明する照明部を備えている。
【００３７】
各部Ａ〜Ｄおよび不図示の照明部の構成は図１に示す太陽光・太陽熱利用システム１の場合と同様であるが、第１段の熱媒タンク１３Ａの上端側の部位には発生した低圧蒸気３Ａを第２段（次段）の熱媒タンク１３Ｂの上端側の部位に供給するための蒸気供給管１７１が配置されている。同様に、第２段の熱媒タンク１３Ｂで発生した高圧蒸気３Ｂを第３段の熱媒タンク１３Ｃに供給するための蒸気供給管１７２が配置されており、第３段の熱媒タンク１３Ｃには、ここで発生した更に高圧の高圧蒸気３Ｃを発電システム１３０のタービン１３１に供給する蒸気供給管１７３が配置されている。タービン１３１の蒸気排出側には、熱交換装置１５０を経由させて液相に戻した高温の熱媒３を第１段の熱媒タンク１３Ａに戻すための媒体還流管１４０が配置されている。
【００３８】
このように構成した太陽光・太陽熱利用装置１００では、多数の離れた照明場所において太陽光を照明光として利用している。また、太陽熱を利用して高圧蒸気を発生させ、これを発電用のタービンの駆動ガスとして利用している。さらに、高圧蒸気を再び液相の熱媒に戻す際の放熱を給湯用の熱源として利用している。これに加えて、放熱後に液相に戻った高温の熱媒を第１段に還流し、その熱を再利用している。したがって、本発明によれば、太陽光および太陽熱を有効利用することができる。
【符号の説明】
【００３９】
Ａ    第１集光部
Ｂ    集熱部
Ｃ    第２集光部
Ｄ    導光部
Ｅ    照明部
１、１Ａ、１Ｂ、１Ｃ  太陽光・太陽熱利用システム
２    第１集光光学系
３    熱媒
３Ａ  低圧蒸気
３Ｂ  高圧蒸気
３Ｃ  高圧蒸気
４    第２集光光学系
５    導光路
６    照明場所
７    拡散光学系
１１  凸レンズ
１２  熱交換器
１３、１３Ａ、１３Ｂ、１３Ｃ  熱媒タンク
１４  温水循環パイプ
１５  温水タンク
１６  給湯配管
１７  凸レンズ
１８  鏡筒
１９、２１、２４  鏡筒部
２０、２５  連結用鏡筒部
２２  分岐用鏡筒部
２３、２６  分岐鏡筒部
２７  凹レンズ
２８  乱反射カバー
１００  太陽光・太陽熱利用装置
１３０  発電システム
１３１  タービン
１３２  発電機
１４０  媒体還流管
１５０  熱交換装置
１６０  温水タンク
１７１、１７２、１７３  蒸気供給管
【図１】
2013029209.tif 000003
【図２】
2013029209.tif 000004